(57)【要約】【課題】負担のかかる工程を要すること無く太陽電池ストリングの絶縁抵抗を測定する。【解決手段】絶縁抵抗検査装置２１は電圧センサ３１と第１の電流センサ３３とコントローラ３２とを有する。電圧センサ３１は第１のコンデンサ２２の電圧を検出する。第１のコンデンサ２２は直流電力変圧回路１９において入力端子１７に並列に接続されている。直流電力変圧回路１９は入力端子１７に入力される直流電力を変圧する。第１の電流センサ３３は第１のコンデンサ２２よりも入力端子１７側の電流を検出する。コントローラ３２は入力端子１７への直流電力の入力が停止するとき電圧センサ３１および第１の電流センサ３３がそれぞれ検出する電圧値および電流値を取得する。【選択図】図２
2018087724.tif 000002
【特許請求の範囲】
【請求項１】
入力端子に入力される直流電力を変圧する、スイッチング方式の直流電力変圧回路において、前記入力端子に並列に接続される第１のコンデンサの電圧を検出する電圧センサと、
前記第１のコンデンサよりも前記入力端子側の電流を検出する第１の電流センサと、
前記入力端子への直流電力の入力が停止するとき、前記電圧センサおよび前記第１の電流センサがそれぞれ検出する電圧値および電流値を取得するコントローラと、を備える
ことを特徴とする絶縁抵抗検査装置。
【請求項２】
請求項１に記載の絶縁抵抗検査装置において、
前記コントローラは、
前記入力端子への直流電力の入力が停止するときに取得する前記電圧値および前記電流値をメモリに記憶させ、
前記入力端子への直流電力の入力が再開するとき、前記メモリから前記電圧値および前記電流値を読出し、該電圧値および該電流値に基づいて、絶縁抵抗値を算出する
ことを特徴とする絶縁抵抗検査装置。
【請求項３】
請求項１に記載の絶縁抵抗検査装置において、
前記コントローラは、
前記入力端子への直流電力の入力が停止するときに取得する前記電圧値および前記電流値に基づいて、絶縁抵抗値を算出する
ことを特徴とする絶縁抵抗検査装置。
【請求項４】
請求項２または３に記載の絶縁抵抗検査装置において、
前記絶縁抵抗値が抵抗閾値を超えるとき、前記絶縁抵抗値が異常であることを報知する第１の報知信号を生成する
ことを特徴とする絶縁抵抗検査装置。
【請求項５】
請求項１から４のいずれか１項に記載の絶縁抵抗検査装置において、
前記コントローラは、
前記入力端子に入力する直流電力の電力値が第１の電力閾値未満となるとき、前記直流電力変圧回路における最大電力点追従制御の動作電圧点を電圧最大となるように、前記直流電力変圧回路を制御する
ことを特徴とする絶縁抵抗検査装置。
【請求項６】
請求項１から５のいずれか１項に記載の絶縁抵抗検査装置において、
前記コントローラは、
前記入力端子に入力する直流電力の電力値が第２の電力閾値未満であるとき、前記電圧センサおよび前記第１の電流センサがそれぞれ検出する電圧値および電流値を継続的に取得し、
該電圧値の減少速度の絶対値が速度閾値を超え、かつ該電流値が電流閾値を超えるとき、絶縁抵抗値を算出できないことを報知する第２の報知信号を生成する
ことを特徴とする絶縁抵抗検査装置。
【請求項７】
請求項１から６のいずれか１項に記載の絶縁抵抗検査装置において、
前記コントローラは、
前記入力端子に入力する直流電力の電力値が第３の電力閾値未満であるとき、前記電圧センサおよび前記第１の電流センサがそれぞれ検出する電圧値および電流値を継続的に取得し、
該電圧値が電圧閾値未満、かつ該電流値がゼロであるとき、絶縁抵抗値を算出できないことを報知する第３の報知信号を生成する
ことを特徴とする絶縁抵抗検査装置。
【請求項８】
請求項１から７のいずれか１項に記載の絶縁抵抗検査装置において、
前記コントローラは、前記入力端子への直流電力の入力が停止するとき、前記直流電力変圧回路の出力端子に並列に接続される第２のコンデンサおよび前記第１のコンデンサを並列に接続する第２のスイッチをオンにする
ことを特徴とする絶縁抵抗検査装置。
【請求項９】
請求項１から８のいずれか１項に記載の絶縁抵抗検査装置において、
前記コントローラは、
前記第１のコンデンサよりも出力側の電流を検出する第２の電流センサおよび前記電圧センサがそれぞれ検出する電流値および電圧値を継続的に取得し、
該電流値および該電圧値に基づき、前記入力端子に入力する直流電力の電力値を算出し、
該電力値に基づいて、前記入力端子への直流電力の入力が停止しているか否かを判別する
ことを特徴とする絶縁抵抗検査装置。
【請求項１０】
請求項１から９のいずれか１項に記載の絶縁抵抗検査装置において、
前記コントローラは、前記入力端子への直流電力の入力が停止していることを示す情報の取得により、該停止を認識する
ことを特徴とする絶縁抵抗検査装置。
【請求項１１】
入力端子に並列に接続される第１のコンデンサを有し、前記入力端子に入力される直流電力を変圧する、スイッチング方式の直流電力変圧回路と、
前記第１のコンデンサの電圧を検出する電圧センサと、
前記第１のコンデンサよりも前記入力端子側の電流を検出する第１の電流センサと、
前記入力端子への直流電力の入力が停止するとき、前記電圧センサおよび前記第１の電流センサがそれぞれ検出する電圧値および電流値を取得する絶縁抵抗測定コントローラと、
前記入力端子への直流電力の入力中に、該直流電力の電圧値および電流値に基づいて前記直流電力変圧回路を制御する変圧コントローラと、を備える
ことを特徴とする電力変換装置。
【請求項１２】
請求項１１に記載の電力変換装置において、
前記変圧コントローラは、前記入力端子に入力する直流電力の電力値が第１の電力閾値未満となるとき、前記直流電力変圧回路における最大電力点追従制御の動作電圧点を電圧最大となるように、前記直流電力変圧回路を制御する
ことを特徴とする電力変換装置。
【請求項１３】
請求項１１または１２に記載の電力変換装置において、
前記変圧コントローラは、前記入力端子への直流電力の入力が停止するとき、前記直流電力変圧回路の出力端子に並列に接続される第２のコンデンサおよび前記第１のコンデンサを並列に接続する第２のスイッチをオンにする
ことを特徴とする電力変換装置。
【請求項１４】
入力端子に並列に接続される第１のコンデンサ、前記第１のコンデンサの電圧を検出する電圧センサ、および前記第１のコンデンサよりも前記入力端子側の電流を検出する第１の電流センサを有し、入力端子に入力される直流電力の電圧を変圧する、スイッチング方式の直流電力変圧回路の前記入力端子への直流電力の入力が停止するとき、前記電圧センサおよび前記第１の電流センサがそれぞれ検出する電圧値および電流値を取得する
ことを特徴とする絶縁抵抗の測定方法。
【発明の詳細な説明】
【技術分野】
【０００１】
本発明は、絶縁抵抗検査装置、電力変換装置、および絶縁抵抗の測定方法に関するものである。
【背景技術】
【０００２】
近年、太陽光から発電する太陽光発電システムが導入されている。太陽光発電システムでは、太陽電池ストリングが太陽光を電力に変換する。電気保安の観点から、電力を発生する太陽電池ストリングの絶縁抵抗の測定が求められている。太陽電池ストリングの絶縁抵抗の測定には、専用の測定器が用いられていた（特許文献１参照）。
【先行技術文献】
【特許文献】
【０００３】
【特許文献１】特開２００１−３４５４７２号公報
【発明の概要】
【発明が解決しようとする課題】
【０００４】
しかし、測定器を用いた絶縁抵抗の測定は、例えば発電の停止中または電力変換装置を停止させるなどの作業が必要である。具体的な測定方法としては、日中であれば太陽電池ストリングに遮光布などで覆うなどの付加的な工程、また夜間の測定などの測定者の作業時間を拘束する工程などの、測定者に負担のかかる工程が必要であった。
【０００５】
従って、上記のような従来技術の問題点に鑑みてなされた本開示の目的は、負担のかかる工程を低減して、太陽電池ストリングの絶縁抵抗を測定可能な絶縁抵抗検査装置、電力変換装置、および絶縁抵抗の測定方法を提供することにある。
【課題を解決するための手段】
【０００６】
上述した諸課題を解決すべく、第１の観点による絶縁抵抗検査装置は、
入力端子に入力される直流電力を変圧する、スイッチング方式の直流電力変圧回路において、前記入力端子に並列に接続される第１のコンデンサの電圧を検出する電圧センサと、
前記第１のコンデンサよりも前記入力端子側の電流を検出する第１の電流センサと、
前記入力端子への直流電力の入力が停止するとき、前記電圧センサおよび前記第１の電流センサがそれぞれ検出する電圧値および電流値を取得するコントローラと、を備える
ことを特徴とするものである。
【０００７】
また、第２の観点による電力変換装置は、
入力端子に並列に接続される第１のコンデンサを有し、前記入力端子に入力される直流電力を変圧する、スイッチング方式の直流電力変圧回路と、
前記第１のコンデンサの電圧を検出する電圧センサと、
前記第１のコンデンサよりも前記入力端子側の電流を検出する第１の電流センサと、
前記入力端子への直流電力の入力が停止するとき、前記電圧センサおよび前記第１の電流センサがそれぞれ検出する電圧値および電流値を取得する絶縁抵抗測定コントローラと、
前記入力端子への直流電力の入力中に、該直流電力の電圧値および電流値に基づいて前記直流電力変圧回路を制御する変圧コントローラと、を備える
ことを特徴とするものである。
【０００８】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【０００９】
例えば、第３の観点を方法として実現させた絶縁抵抗の測定方法は、
入力端子に並列に接続される第１のコンデンサ、前記第１のコンデンサの電圧を検出する電圧センサ、および前記第１のコンデンサよりも前記入力端子側の電流を検出する第１の電流センサを有し、入力端子に入力される直流電力の電圧を変圧する、スイッチング方式の直流電力変圧回路の前記入力端子への直流電力の入力が停止するとき、前記電圧センサおよび前記第１の電流センサがそれぞれ検出する電圧値および電流値を取得する
ことを特徴とするものである。
【発明の効果】
【００１０】
上記のように構成された本開示に係る絶縁抵抗検査装置、電力変換装置、および絶縁抵抗の測定方法によれば、負担のかかる工程を低減して、太陽電池ストリングの絶縁抵抗を測定可能である。
【図面の簡単な説明】
【００１１】
【図１】第１の実施形態に係る絶縁抵抗検査装置を含む電力変換装置の概略構成を示す機能ブロック図である。
【図２】図１の直流電力変圧部の概略構成を示す機能ブロック図である。
【図３】図２の変圧コントローラが実行する、準備処理を説明するためのフローチャートである。
【図４】図２の絶縁抵抗測定コントローラが実行する、測定処理を説明するための第１のフローチャートである。
【図５】図２の絶縁抵抗測定コントローラが実行する、測定処理を説明するための第２のフローチャートである。
【図６】図２の絶縁抵抗測定コントローラが実行する、異常判別処理を説明するためのフローチャートである。
【図７】第２の実施形態の直流電力変圧部の概略構成を示す機能ブロック図である。
【図８】図７の変圧コントローラが実行する、測定処理を説明するための第１のフローチャートである。
【図９】図７の変圧コントローラが実行する、測定処理を説明するための第２のフローチャートである。
【図１０】図７の絶縁抵抗測定コントローラが実行する、異常判別処理を説明するためのフローチャートである。
【発明を実施するための形態】
【００１２】
以下、第１の実施形態について、図面を参照して説明する。
【００１３】
図１に示すように、第１の実施形態に係る絶縁抵抗検査装置を含む電力変換装置１０は入力側において第１のスイッチ１１を介して電力源に接続されている。本実施形態における電力源は、太陽電池ストリング１２であるが、これに限られない。第１のスイッチ１１は、直流遮断機で、通常は接点が閉じられているが、太陽電池のメンテナンスや地絡検知検査の際には接点を開いて発電部を分離する。また、電力変換装置１０は出力側において商用系統１３および負荷機器１４に接続されている。
【００１４】
電力変換装置１０は、直流電力変圧部１５および直交変換部１６を含んでいる。直流電力変圧部１５は、太陽電池ストリング１２が太陽光を変換して発電した直流電力を変圧する。直交変換部１６は、直流電力変圧部１５に変圧された直流電力を交流電力に変換して、商用系統１３および負荷機器１４に供給する。
【００１５】
次に、図２を用いて、直流電力変圧部１５の詳細な構成について説明する。図２において、各機能ブロックを結ぶ実線は、電力の流れを示す。また、各機能ブロックを結ぶ破線は、制御信号または通信される情報の流れを示す。破線が示す通信は有線通信であってもよいし、無線通信であってもよい。
【００１６】
直流電力変圧部１５は、入力端子１７、出力端子１８、直流電力変圧回路１９、変圧コントローラ２０、および絶縁抵抗検査装置２１を含んでいる。
【００１７】
一対の入力端子１７は、第１のスイッチ１１に接続されている。一対の出力端子１８は、直交変換部１６に接続されている。
【００１８】
直流電力変圧回路１９は、例えば、ＤＣ／ＤＣコンバータである。直流電力変圧回路１９は、入力端子１７に入力される直流電力を変圧する。直流電力変圧回路１９は、第１のコンデンサ２２、コイル２３、スイッチング素子２４、ダイオード２５、第２のコンデンサ２６、第２の電流センサ２７、および第２のスイッチ２８を含んでいる。直流電力変圧回路１９は、スイッチング方式により直流電力の電圧を調整する。
【００１９】
第１のコンデンサ２２は、一対の入力端子１７に並列に接続されている。第２のコンデンサ２６は、一対の出力端子１８に並列に接続されている。スイッチング素子２４は、第１のコンデンサ２２および第２のコンデンサ２６の間において、第１のコンデンサ２２および第２のコンデンサ２６に並列に接続されている。コイル２３およびダイオード２５は、電力線２９上で直列に接続されている。コイル２３は、第１のコンデンサ２２およびスイッチング素子２４の間に設けられている。ダイオード２５は、スイッチング素子２４と第２のコンデンサ２６の間に設けられている。
【００２０】
第１のコンデンサ２２および第２のコンデンサ２６は、例えば電解コンデンサであるが、これに限られない。また、スイッチング素子２４は、例えば、半導体スイッチング素子および還流ダイオードを含むものであるが、これに限られない。スイッチング素子２４は、変圧コントローラ２０から出力される制御信号のデューティ比で通電と遮断とを切替える。
【００２１】
第２の電流センサ２７は、接地線３０上で、第１のコンデンサ２２およびスイッチング素子２４の間に設けられている。第２の電流センサ２７は入力端子１７に入力される直流電力の電流値を検出する。第２の電流センサ２７は検出した電流値を、信号として変圧コントローラ２０に通知する。
【００２２】
第２のスイッチ２８は、第１のコンデンサ２２および第２のコンデンサ２６を並列に接続することができる。絶縁抵抗測定に係る動作時以外においてはオフ（開状態）である。本実施形態において、直流電力変圧回路１９は、昇圧回路であって、充電状態における第２のコンデンサ２６の電圧は、第１のコンデンサ２２の電圧より大きい。したがって、第２のスイッチ２８をオンにすると、第２のコンデンさ２６の高い電圧によって第１のコンデンサ２２が充電され、絶縁抵抗検査に用いられる電圧が上昇し得る。なお、一般に第１のコンデンサ２２よりも第２のコンデンサ２６の方が静電容量が大きいので、電圧の上昇は第２のコンデンサ２６の電圧近くまで上昇する。また、第２のスイッチ２８は第１のコンデンサ２２の電圧上昇が無くなった時点でオフにしておけば、第２のコンデンサ２６の電圧が低下する要因があっても、第１のコンデンサ２２がその影響を受けにくい。
【００２３】
変圧コントローラ２０は、専用のマイクロプロセッサ、または汎用のＣＰＵに特定の機能を実行するプログラムを読み込ませることによって構成される。また、変圧コントローラ２０は、情報などを記憶するためのメモリを有する。変圧コントローラ２０は、直流電力変圧部１５の各構成要素の動作を制御する。
【００２４】
変圧コントローラ２０は、太陽電池ストリング１２から供給される直流電力によって駆動する。直流電力変圧回路１９も同じ直流電力によって駆動するが、変圧コントローラ２０は直流電力が低下して直流電力変圧回路１９が停止しても駆動を継続し、太陽電池ストリング１２の発電が停止する付近まで駆動を維持できる。変圧コントローラ２０は、直流電力の供給が停止した後、変圧コントローラ２０の電源として第２のコンデンサ２６を用いることにより、数分から十数分の駆動継続が可能である。また、変圧コントローラ２０は、直流電流がゼロになったことを判定すると、入力が停止している旨の情報を絶縁抵抗検査装置２１に通知して、機能を停止する。なお、後述するが、入力が停止している旨の情報は、電流値がゼロであることを以外のことを示す情報であってよい。
【００２５】
変圧コントローラ２０は、直流電力の入力中、第２の電流センサ２７から電流値を継続的に取得する。変圧コントローラ２０は、直流電力の入力中、後述する、絶縁抵抗検査装置２１に設けられる電圧センサ３１から電圧値を継続的に取得する。
【００２６】
変圧コントローラ２０は、取得した電流値および電圧値に基づいて、制御信号のデューティ比を決定する。変圧コントローラ２０は、直流電力変圧回路１９から出力される直流電力の電圧を所望の電圧にさせるデューティ比の制御信号を生成し、スイッチング素子２４に送信する。
【００２７】
例えば、変圧コントローラ２０は、例えば、太陽電池ストリング１２の発電中、取得した電流値および電圧値に基づいて、太陽電池ストリング１２から入力端子１７に入力する直流電力の電力値を算出する。さらに、変圧コントローラ２０は、太陽電池ストリング１２の発電中、当該電力値を最大化するように、最大電力点追従制御を行なう。
【００２８】
また、例えば、変圧コントローラ２０は、入力端子１７に入力する直流電力の電力値が第１の電力閾値未満となるときに、最大電力点追従制御の動作電圧点を電圧最大とさせるデューティ比の制御信号を生成し、スイッチング素子２４に送信する。第１の電力閾値は、最大電力点追従制御の実行に必要な電力値以上に定められている。
【００２９】
変圧コントローラ２０は、入力端子１７に入力する直流電力の電力値が第２の電力閾値未満となるとき、第２の電力閾値未満であることを示す情報を、信号として、絶縁抵抗測定コントローラ３２に通知する。第２の電力閾値は、第１の電力閾値と同じ値であっても異なっていてもよく、例えば、日没中であると判別し得る日射量に相当する電力値に定められている。
【００３０】
変圧コントローラ２０は、入力端子１７に入力する直流電力の電力値が第３の電力閾値未満となるときに、第３の電力閾値未満であることを示す情報を、信号として、絶縁抵抗測定コントローラ３２に通知する。第３の電力閾値は、第２の電力閾値と同じ値であっても異なっていてもよく、例えば、日没中であると判別し得る日射量に相当する電力値に定められている。
【００３１】
変圧コントローラ２０は、入力端子１７への直流電力の入力が停止するとき、第２のスイッチ２８をオンに切替える。このとき、第２のスイッチ２８は、接点切替の電力を第２のコンデンサ２６から取得してよい。
【００３２】
変圧コントローラ２０は、入力端子１７への直流電力の入力が停止するとき、入力が停止していることを示す情報を、信号として、絶縁抵抗測定コントローラ３２に通知する。入力が停止していることを示す情報は、例えば、電力変換ができなくなった電力値、変圧コントローラ２０の動作が維持できないと定めた電力値、入力電力の電流値がゼロになった時、最大電力点追従制御を電圧最大に移動させた時を示す情報などが挙げられるが、このいずれかを用いればよい。なお、入力電力の電流値がゼロになったとき以外の情況においては、まだ発電が行われているため、絶縁抵抗検査が実行できない。そのため、絶縁抵抗検査装置２１は、取得する情報の種類ごとに入力電力の電流値がゼロになるまでの推定時間を加算して絶縁抵抗検査を行うタイミングを算出・決定すればよい。
【００３３】
絶縁抵抗検査装置２１は、電圧センサ３１、第１の電流センサ３３、絶縁抵抗測定コントローラ３２、およびメモリ３４を含んでいる。
【００３４】
電圧センサ３１は、一対の入力端子１７に並列に接続され、第１のコンデンサ２２の電圧値を検出する。なお、入力端子１７への直流電力の入力中には、第１のコンデンサ２２の電圧値は、当該直流電力の電圧に等しい。したがって、入力端子１７への直流電力の入力中には、電圧センサ３１は、当該直流電力の電圧値を検出している。電圧センサ３１は、検出した電圧値を、信号として、変圧コントローラ２０および絶縁抵抗測定コントローラ３２に通知する。また、変圧コントローラ２０および絶縁抵抗測定コントローラ３２が、電圧センサ３１から入力された電圧を電圧値として取得するのでもよい。
【００３５】
第１の電流センサ３３は、接地線３０上で、入力端子１７および第１のコンデンサ２２の間に設けられている。第１の電流センサ３３は、第１のコンデンサ２２よりも入力端子１７側に流れる電流を検出する。第１の電流センサ３３は、検出した電流値を信号として絶縁抵抗測定コントローラ３２に通知する。なお、絶縁抵抗測定コントローラ３２が、第１の電流センサ３３から入力される電圧値を電流値に変換して、電流値を取得する。
【００３６】
絶縁抵抗測定コントローラ３２は、専用のマイクロプロセッサ、または汎用のＣＰＵに特定の機能を実行するプログラムを読み込ませることによって構成される。絶縁抵抗測定コントローラ３２は、本実施形態において、入力端子１７に入力される直流電力および第１のコンデンサ２２に充電された電力のいずれかによって駆動する。
【００３７】
絶縁抵抗測定コントローラ３２は、入力が停止していることを示す情報を変圧コントローラ２０から取得するとき、入力端子１７への直流電力の入力が停止していることを認識する。絶縁抵抗測定コントローラ３２は、当該入力が停止していることを認識するとき、電圧センサ３１および第１の電流センサ３３がそれぞれ検出する電圧値および電流値を取得する。なお、入力が停止していることの認識には、取得した情報から入力電力の電流値がゼロになるまでの推定時間を加算して絶縁抵抗検査を行うタイミングを算出・決定することも含む。具体的には、例えば、入力が停止していることを示す情報が電力変換が出来なくなった電力値であれば、電力変換が出来なくなってから日没まで０．５から１時間後に入力電力の電流値が０になるので、絶縁抵抗測定コントローラ３２はその時間が経過した後に入力が停止していることを認識する。また、当該情報が変圧コントローラ２０の動作を維持できないと定めた電力値であれば、変圧コントローラ２０の動作を維持できないときは日没近くなので、当該電力値に達してから２０から３０分後に、絶縁抵抗測定コントローラ３２は入力が停止していることを認識する。このように、情報の取得時から入力電力の電流値がゼロになるまでの実測値をフィードバックさせて決定する。最大電力点追従制御を電圧最大に移動させた時であれば、電力変換が出来なくなるよりも以前に動作させているため、１から２時間後とするとよい。
【００３８】
絶縁抵抗測定コントローラ３２は、取得した電圧値および電流値に基づいて、太陽電池ストリング１２の絶縁抵抗値を算出する。絶縁抵抗測定コントローラ３２は、算出した絶縁抵抗値を、メモリ３４に記憶させる。
【００３９】
絶縁抵抗測定コントローラ３２は、入力端子１７への直流電力の入力の再開時に、メモリ３４に記憶した絶縁抵抗値を抵抗閾値と比較する。抵抗閾値は、法令などによって定められる基準値以上の値に定められている。絶縁抵抗測定コントローラ３２は、絶縁抵抗値が抵抗閾値を超えるとき、絶縁抵抗値が異常であることを報知する第１の報知信号を生成する。絶縁抵抗測定コントローラ３２は、第１の報知信号を、需要家施設の電力供給を管理する電力管理装置などに送信する。
【００４０】
絶縁抵抗測定コントローラ３２は、第２の電力閾値未満であることを示す情報を変圧コントローラ２０から取得するとき、電圧センサ３１および第１の電流センサ３３がそれぞれ検出する電圧値および電流値を継続的に取得する。絶縁抵抗測定コントローラ３２は、継続的に取得する電圧値に基づいて、電圧値の減少速度の絶対値を算出する。
【００４１】
絶縁抵抗測定コントローラ３２は、算出した減少速度の絶対値が速度閾値を超え、かつ取得した電流値が電流閾値を超えるとき、絶縁抵抗値を算出できないことを報知する第２の報知信号を生成する。速度閾値および電流閾値は、太陽電池ストリング１２に設けられるサージ防護素子に電流が流れていることを判別可能な値に定められている。
【００４２】
絶縁抵抗測定コントローラ３２は、第２の報知信号を、需要家施設の電力需給を管理する電力管理装置などに送信する。第２の報知信号は、絶縁抵抗値の算出が出来ない理由として、太陽電池ストリング１２に設けられるサージ防護素子が劣化し、漏れ電流が増加しており、機能が低下していることを含む。
【００４３】
絶縁抵抗測定コントローラ３２は、第３の電力閾値未満であることを示す情報を変圧コントローラ２０から取得するとき、電圧センサ３１および第１の電流センサ３３がそれぞれ検出する電圧値および電流値を取得する。
【００４４】
絶縁抵抗測定コントローラ３２は、取得した電圧値が電圧閾値未満であり、かつ取得した電流値がゼロであるとき、絶縁抵抗値を算出できないことを報知する第３の報知信号を生成する。電圧閾値は、直交変換部１６などにおいて漏れ電流が増加していることを判別可能な値に定められている。
【００４５】
絶縁抵抗測定コントローラ３２は、第３の報知信号を、需要家施設の電力需給を管理する電力管理装置などに送信する。第２の報知信号は、絶縁抵抗値の算出が出来ない理由として、直交変換部１６などにおいて漏れ電流が増加しており、部品交換の時期がきていることを含む。
【００４６】
絶縁抵抗測定コントローラ３２は、第２の報知信号および第３の報知信号の少なくともいずれかを生成したときには、入力端子１７への直流電力の入力停止時の電圧値および電流値の取得、絶縁抵抗値の測定、ならびに絶縁抵抗値と抵抗閾値との比較を停止する。
【００４７】
メモリ３４は、絶縁抵抗測定コントローラ３２が算出する多様な値を記憶する。第１の実施形態においては、メモリ３４は、上述のように、絶縁抵抗値を記憶する。
【００４８】
次に、第１の実施形態において変圧コントローラ２０が実行する、絶縁抵抗測定の準備処理について、図３のフローチャートを用いて説明する。準備処理は、変圧コントローラ２０が電圧センサ３１および第２の電流センサ２７それぞれから電圧値および電流値を取得し、入力端子１７に入力する直流電力の電力値を算出する度に開始する。
【００４９】
ステップＳ１００では、変圧コントローラ２０は、準備処理の開始時に算出した電力値が第１の電力閾値未満であるか否かを判別する。当該電力値が第１の電力閾値未満であるとき、プロセスはステップＳ１０１に進む。当該電力値が第１の電力閾値未満でないとき、プロセスはステップＳ１０２に進む。
【００５０】
ステップＳ１０１では、変圧コントローラ２０は、最大電力点追従制御の動作電圧点を電圧最大とさせるデューティ比の制御信号を生成し、スイッチング素子２４に出力する。スイッチング素子２４への出力後、プロセスはステップＳ１０２に進む。
【００５１】
ステップＳ１０２では、変圧コントローラ２０は、準備処理の開始時に算出した電力値が第２の電力閾値未満であるか否かを判別する。当該電力値が第２の電力閾値未満であるとき、プロセスはステップＳ１０３に進む。当該電力値が第２の電力閾値未満でないとき、プロセスはステップＳ１０４に進む。
【００５２】
ステップＳ１０３では、変圧コントローラ２０は、入力端子１７に入力する直流電力の電力値が第２の電力閾値未満であることを示す情報を絶縁抵抗測定コントローラ３２に通知する。当該情報の通知後、プロセスはステップＳ１０４に進む。
【００５３】
ステップＳ１０４では、変圧コントローラ２０は、準備処理の開始時に算出した電力値が第３の電力閾値未満であるか否かを判別する。当該電力値が第３の電力閾値未満であるとき、プロセスはステップＳ１０５に進む。当該電力値が第３の電力閾値未満でないとき、プロセスはステップＳ１０６に進む。
【００５４】
ステップＳ１０５では、変圧コントローラ２０は、入力端子１７に入力する直流電力の電力値が第３の電力閾値未満であることを示す情報を絶縁抵抗測定コントローラ３２に通知する。当該情報の通知後、プロセスはステップＳ１０６に進む。
【００５５】
ステップＳ１０６では、変圧コントローラ２０は、算出した電力値に基づいて、入力端子１７への直流電力の入力が停止しているか否かを判別する。直流電力の入力が停止しているとき、プロセスはステップＳ１０７に進む。直流電力の入力が停止していないとき、準備処理は終了する。
【００５６】
ステップ１０７では、変圧コントローラ２０は、第２のスイッチ２８をオンに切替える。第２のスイッチ２８をオンに切替えると、プロセスはステップＳ１８０に進む。
【００５７】
ステップＳ１０８では、変圧コントローラ２０は、入力端子１７への直流電力の入力が停止していることを示す情報を絶縁抵抗測定コントローラ３２に通知する。当該情報の通知後、準備処理は終了する。
【００５８】
次に、第１の実施形態において絶縁抵抗測定コントローラ３２が実行する、絶縁抵抗の測定処理について、図４、５のフローチャートを用いて説明する。測定処理は、絶縁抵抗測定コントローラ３２が、入力端子１７に入力する直流電力の電力値が第２の電力閾値未満であることを示す情報、および当該電力値が第３の電力閾値未満であることを示す情報の少なくともいずれかを受信するとき開始する。
【００５９】
ステップＳ２００では、絶縁抵抗測定コントローラ３２は、入力端子１７に入力する直流電力の電力値が第２の電力閾値未満であることを示す情報を取得しているか否か判別する。当該情報を取得しているとき、プロセスはステップＳ２０１に進む。当該情報を取得していないとき、プロセスはステップＳ２０６に進む。
【００６０】
ステップＳ２０１では、絶縁抵抗測定コントローラ３２は、電圧センサ３１および第１の電流センサ３３それぞれから電圧値および電流値を継続的に取得する。継続的な取得を開始すると、プロセスはステップＳ２０２に進む。
【００６１】
ステップＳ２０２では、絶縁抵抗測定コントローラ３２は、ステップＳ２０１で取得した電圧値の減少速度の絶対値を算出する。算出すると、プロセスはステップＳ２０３に進む。
【００６２】
ステップＳ２０３では、絶縁抵抗測定コントローラ３２は、ステップＳ２０２において算出した絶対値が速度閾値を超え、かつステップＳ２０１において取得した電流値が電流閾値を超えるか否かを判別する。当該絶対値が速度閾値を超え、かつ当該電流値が電流閾値を超えるとき、プロセスはステップＳ２０４に進む。当該絶対値が速度閾値以下、および当該電流値が電流閾値以下の少なくともいずれかを満たすとき、プロセスはステップＳ２０６に進む。
【００６３】
ステップＳ２０４では、絶縁抵抗測定コントローラ３２は、絶縁抵抗の測定停止を決定する。決定後、プロセスはステップＳ２０５に進む。
【００６４】
ステップＳ２０５では、絶縁抵抗測定コントローラ３２は、第２の報知信号を生成する。また、絶縁抵抗測定コントローラ３２は、生成した第２の報知信号を電力管理装置などに送信する。生成および送信後、プロセスはステップＳ２０６に進む。
【００６５】
ステップＳ２０６では、絶縁抵抗測定コントローラ３２は、入力端子１７に入力する直流電力の電力値が第３の電力閾値未満であることを示す情報を取得しているか否か判別する。当該情報を取得しているとき、プロセスはステップＳ２０７に進む。当該情報を取得していないとき、プロセスはステップＳ２１１に進む。
【００６６】
ステップＳ２０７では、絶縁抵抗測定コントローラ３２は、電圧センサ３１および第１の電流センサ３３それぞれから電圧値および電流値を取得する。電圧値および電流値を取得すると、プロセスはステップＳ２０８に進む。
【００６７】
ステップＳ２０８では、絶縁抵抗測定コントローラ３２は、ステップＳ２０７において取得した電圧値が電圧閾値未満、かつステップＳ２０７において取得した電流値が電流閾値を超えるか否かを判別する。当該電圧値が電圧閾値未満、かつ当該電流値がゼロであるとき、プロセスはステップＳ２０９に進む。当該電圧値が電圧閾値以上、および当該電流値がゼロでないことの少なくともいずれかを満たすとき、プロセスはステップＳ２１１に進む。
【００６８】
ステップＳ２０９では、絶縁抵抗測定コントローラ３２は、絶縁抵抗測定に必要な電圧が確保できない、または電流のリークが所定以上生じており絶縁抵抗測定が正しく行えないと判定して、絶縁抵抗の測定停止を決定する。決定後、プロセスはステップＳ２１０に進む。
【００６９】
ステップＳ２１０では、絶縁抵抗測定コントローラ３２は、第３の報知信号を生成する。また、絶縁抵抗測定コントローラ３２は、生成した第３の報知信号を電力管理装置などに送信する。生成および送信後、プロセスはステップＳ２１１に進む。
【００７０】
ステップＳ２１１では、絶縁抵抗測定コントローラ３２は、ステップＳ２０４およびＳ２０９の少なくともいずれかにおいて絶縁抵抗の測定停止を決定しているか否かを判別する。測定停止が決定されているとき、測定処理は終了する。測定停止が決定されていないとき、プロセスはステップＳ２１２に進む。
【００７１】
ステップＳ２１２では、絶縁抵抗測定コントローラ３２は、入力端子１７への直流電力の入力が停止していることを示す情報を取得しているか否か、すなわち当該直流電力の入力が停止しているか否かを判別する。直流電力の入力が停止していないとき、プロセスはステップＳ２１２を繰返し、直流電力の入力停止を待機する。直流電力の入力が停止しているとき、プロセスはステップＳ２１３に進む。なお、直流電力の入力が停止していないとき、ステップ２１２の繰返しに代えて、ステップＳ２００またはＳ２０１に戻し、他の環境の変化も逐次確認する構成であってよい。
【００７２】
ステップＳ２１３では、絶縁抵抗測定コントローラ３２は、電圧センサ３１および第１の電流センサ３３それぞれから電圧値および電流値を取得する。取得後、プロセスはステップＳ２１４に進む。
【００７３】
ステップＳ２１４では、絶縁抵抗測定コントローラ３２は、ステップＳ２１３において取得した電圧値および電流値に基づいて、絶縁抵抗値を算出する。算出後、プロセスはステップＳ２１５に進む。
【００７４】
ステップＳ２１５では、絶縁抵抗測定コントローラ３２は、ステップＳ２１４において算出した絶縁抵抗値をメモリ３４に記憶させる。記憶後、測定処理は終了する。
【００７５】
次に、第１の実施形態において絶縁抵抗測定コントローラ３２が実行する、異常判別処理について、図６のフローチャートを用いて説明する。異常判別処理は、直流電力の供給の再開により、絶縁抵抗測定コントローラ３２が起動するとき開始する。
【００７６】
ステップＳ３００において、絶縁抵抗測定コントローラ３２は、メモリ３４から絶縁抵抗値を読出す。読出し後、プロセスはステップＳ３０１に進む。
【００７７】
ステップＳ３０１では、絶縁抵抗測定コントローラ３２は、ステップＳ３００において読出した絶縁抵抗値が抵抗閾値を超えるか否かを判別する。絶縁抵抗値が抵抗閾値を超えるとき、プロセスはステップＳ３０２に進む。絶縁抵抗値が抵抗閾値を超えないとき、異常判別処理は終了する。
【００７８】
ステップＳ３０２では、絶縁抵抗測定コントローラ３２は、第１の報知信号を生成する。また、絶縁抵抗測定コントローラ３２は、生成した第１の報知信号を電力管理装置などに送信する。生成および送信後、異常判定処理は終了する。
【００７９】
以上のような構成の第１の実施形態の絶縁抵抗検査装置２１では、入力端子１７への直流電力の入力が停止するとき、電圧センサ３１および第１の電流センサ３３がそれぞれ検出する電圧値および電流値を取得している。このような構成により、絶縁抵抗検査装置２１は、発電の停止中である直流電力の入力の停止時に自動的に、絶縁抵抗値の算出に必要な電圧値および電流値を絶縁抵抗測定コントローラ３２に取得させ得る。したがって、絶縁抵抗検査装置２１は、負担のかかる工程を要すること無く、太陽電池ストリング１２の絶縁抵抗を測定させ得る。
【００８０】
また、第１の実施形態の絶縁抵抗検査装置２１では、第１のコンデンサ２２に充電された電力を電源として、太陽電池ストリング１２に電流を流し、絶縁抵抗測定コントローラ３２を駆動している。通常、電力変換装置１０に設けられるコントローラは、太陽電池ストリング１２が発電する直流電力を電源として駆動するため、太陽電池ストリング１２の発電停止時には、絶縁抵抗測定用の電圧値および電流値を取得できない。しかし、上述のような構成により、絶縁抵抗検査装置２１では、太陽電池ストリング１２が発電した直流電力を用いずに、電圧値および電流値を取得し得る。
【００８１】
また、第１の実施形態の絶縁抵抗検査装置２１では、絶縁抵抗値が抵抗閾値を超えるとき第１の報知信号を生成させている。このような構成により、絶縁抵抗検査装置２１は、単に、絶縁抵抗値を算出するだけでなく、異常状態であることを、太陽電池ストリング１２の保守管理者に容易に認識させ得る。
【００８２】
また、第１の実施形態の絶縁抵抗検査装置２１では、電圧センサ３１および第１の電流センサ３３がそれぞれ検出する電圧値および電流値が特定の条件を満たすとき、第２の報知信号または第３の報知信号を生成している。このような構成により、第１の実施形態の絶縁抵抗検査装置２１は、太陽電池ストリング１２および電力変換装置１０の少なくとも一方に、絶縁抵抗値の測定精度を低下させ得る状況を判断させ、報知信号を生成させている。したがって、絶縁抵抗検査装置２１は、絶縁抵抗値の測定が困難であること、およびその原因を、太陽電池ストリング１２の保守管理者に容易に認識させ得る。
【００８３】
また、第１の実施形態の電力変換装置１０では、変圧の制御は行なわず絶縁抵抗の測定の制御のみを行なう絶縁抵抗測定コントローラ３２を有するので、消費電力が小さく、第１のコンデンサ２２に充電された電力で、絶縁抵抗値の算出まで実行し得る。
【００８４】
また、第１の実施形態の電力変換装置１０では、入力する直流電力の電力値が第１の閾値未満となるとき、最大電力点追従制御の動作電圧を電圧最大となるように、直流電力変圧回路１９を制御している。このような構成により、電力変換装置１０は、太陽電池ストリング１２の発電停止直前に第１のコンデンサ２２の電圧を上昇させることにより、絶縁抵抗値の測定精度を向上し得る。
【００８５】
また、第１の実施形態の電力変換装置１０では、直流電力の入力が停止するとき、第２のスイッチ２８をオンにしている。このような構成により、電力変換装置１０は、絶縁抵抗算出のための電圧値および電流値を取得するときに、第１のコンデンサ２２の電圧を上昇させるので、絶縁抵抗値の測定精度を向上し得る。
【００８６】
次に、本発明の第２の実施形態に係る絶縁抵抗検査装置について説明する。第２の実施形態では、第１の実施形態における絶縁抵抗測定コントローラが変圧コントローラに一体化されている点において、第１の実施形態と異なっている。以下に、第１の実施形態と異なる点を中心に第２の実施形態について説明する。なお、第１の実施形態と同じ構成を有する部位には同じ符号を付す。
【００８７】
図７に示すように、第２の実施形態にかかる絶縁抵抗検査装置を含む直流電力変圧部１５０は、入力端子１７、出力端子１８、直流電力変圧回路１９、および絶縁抵抗検査装置２１０を含んでいる。第１の実施形態と異なり、第２の実施形態では、変圧コントローラ２００は、絶縁抵抗検査装置２１０に含まれ、直流電力変圧回路１９および絶縁抵抗検査の制御の両方の機能を有している。入力端子１７、出力端子１８、および直流電力変圧回路１９の構成および機能は、第１の実施形態と同様である。
【００８８】
絶縁抵抗検査装置２１０は、電圧センサ３１、第１の電流センサ３３、変圧コントローラ２００、およびメモリ３４０を含んでいる。電圧センサ３１および第１の電流センサ３３の構成および機能は第１の実施形態と同様である。ただし、第１の電流センサ３３は、検出した電流値を信号として変圧コントローラ２００に通知する。絶縁抵抗検査装置２１０は入力端子１７に入力される直流電力および第１のコンデンサ２２に充電された電力のいずれかによって駆動する。
【００８９】
変圧コントローラ２００は、第１の実施形態と異なり、入力端子１７に入力される直流電力および第１のコンデンサ２２に充電された電力のいずれかによって駆動する。
【００９０】
また、変圧コントローラ２００は、第１の実施形態と同様に、直流電力の入力中、第２の電流センサ２７および電圧センサ３１それぞれから電流値および電圧値を継続的に取得する。変圧コントローラ２００は、第１の実施形態と同様に、取得した電流値および電圧値に基づいて、直流電力変圧回路１９から出力される直流電力の電圧を所望の電圧にさせるデューティ比の制御信号を生成し、スイッチング素子２４に送信する。また、変圧コントローラ２００は、第１の実施形態と同様に、取得した電流値および電圧値に基づいて、太陽電池ストリング１２から入力端子１７に入力する直流電力の電力値を算出する。変圧コントローラ２００は、第１の実施形態と同様に、算出した電力値に基づいて、入力端子１７への直流電力の入力が停止しているか否かを判別する。
【００９１】
また、変圧コントローラ２００は、第１の実施形態と同様に、入力端子１７に入力する直流電力の電力値が第１の電力閾値未満となるときに、最大電力点追従制御の動作電圧点を電圧最大とさせるデューティ比の制御信号を生成し、スイッチング素子２４に送信する。
【００９２】
また、変圧コントローラ２００は、第１の実施形態と異なり、入力端子１７に入力する直流電力が第２の電力閾値未満となるとき、電圧センサ３１および第１の電流センサ３３がそれぞれ検出する電圧値および電流値を継続的に取得する。変圧コントローラ２００は、継続的に取得する電圧値に基づいて、電圧値の減少速度の絶対値を算出する。さらに、変圧コントローラ２００は、算出した減少速度の絶対値が速度閾値を超え、かつ取得した電流値が電流閾値を超えるとき、絶縁抵抗値を算出できないことを報知する第２の報知信号を生成する。
【００９３】
また、変圧コントローラ２００は、第１の実施形態と異なり、入力端子１７に入力する直流電力が第３の電力閾値未満となるとき、電圧センサ３１および第１の電流センサ３３がそれぞれ検出する電圧値および電流値を取得する。さらに、変圧コントローラ２００は、取得した電圧値が電圧閾値未満であり、かつ取得した電流値がゼロであるとき、絶縁抵抗値を算出できないことを報知する第３の報知信号を生成する。
【００９４】
また、変圧コントローラ２００は、第１の実施形態と同様に、入力端子１７への直流電力の入力が停止するとき、第２のスイッチ２８をオンに切替える。
【００９５】
また、変圧コントローラ２００は、第１の実施形態と異なり、入力端子１７への直流電力の入力が停止するとき、電圧センサ３１および第１の電流センサ３３がそれぞれ検出する電圧値および電流値を取得する。さらに、変圧コントローラ２００は、取得した電圧値および電流値をメモリ３４０に記憶させる。
【００９６】
また、変圧コントローラ２００は、第１の実施形態と異なり、入力端子１７への直流電力の入力の再開時に、メモリ３４０に記憶した電圧値および電流値に基づいて、太陽電池ストリング１２の絶縁抵抗値を算出する。さらに、変圧コントローラ２００は、算出した絶縁抵抗値を抵抗閾値と比較する。また、変圧コントローラ２００は、絶縁抵抗値が抵抗閾値を超えるとき、絶縁抵抗値が以上であることを報知する第１の報知信号を生成する。
【００９７】
メモリ３４０は、変圧コントローラ２００が算出する多様な値を記憶する。第２の実施形態においては、メモリ３４０は、上述のように、電圧値および電流値を記憶する。
【００９８】
次に、第２の実施形態において変圧コントローラ２００が実行する、絶縁抵抗の測定処理について、図８、９のフローチャートを用いて説明する。測定処理は、変圧コントローラ２００が電圧センサ３１および第２の電流センサ２７それぞれから電圧値および電流値を取得し、入力端子１７に入力する直流電力の電圧値を算出する度に開始する。
【００９９】
ステップＳ４００では、変圧コントローラ２００は、測定処理の開始時に算出した電力値が第１の電力閾値未満であるか否かを判別する。当該電力値が第１の電力閾値未満であるとき、プロセスはステップＳ４０１に進む。当該電力値が第１の電力閾値未満でないとき、プロセスはステップＳ４０２に進む。
【０１００】
ステップＳ４０１では、変圧コントローラ２００は、最大電力点追従制御の動作電圧点を電圧最大とさせるデューティ比の制御信号を生成し、スイッチング素子２４に出力する。スイッチング素子２４への出力後、プロセスはステップＳ４０２に進む。
【０１０１】
ステップＳ４０２では、変圧コントローラ２００は、測定処理の開始時に算出した電力値が第２の電力閾値未満であるか否かを判別する。当該電力値が第２の電力閾値未満であるとき、プロセスはステップＳ４０３に進む。当該電力値が第２の電力閾値未満でないとき、プロセスはステップＳ４０８に進む。
【０１０２】
ステップＳ４０３では、変圧コントローラ２００は、電圧センサ３１および第１の電流センサ３３それぞれから電圧値および電流値を継続的に取得する。継続的な取得を開始すると、プロセスはステップＳ４０４に進む。
【０１０３】
ステップＳ４０４では、変圧コントローラ２００は、ステップＳ４０３で取得した電圧値の減少速度の絶対値を算出する。算出すると、プロセスはステップＳ４０５に進む。
【０１０４】
ステップＳ４０５では、変圧コントローラ２００は、ステップＳ４０４において算出した絶対値が速度閾値を超え、かつステップＳ４０３において取得した電流値が電流閾値を超えるか否かを判別する。当該絶対値が速度閾値を超え、かつ当該電流値が電流閾値を超えるとき、プロセスはステップＳ４０６に進む。当該絶対値が速度閾値以下、および当該電流値が電流閾値以下の少なくともいずれかを満たすとき、プロセスはステップＳ４０８に進む。
【０１０５】
ステップＳ４０６では、変圧コントローラ２００は、絶縁抵抗の測定停止を決定する。決定後、プロセスはステップＳ４０７に進む。
【０１０６】
ステップＳ４０７では、変圧コントローラ２００は、第２の報知信号を生成する。また、変圧コントローラ２００は、生成した第２の報知信号を電力管理装置などに送信する。生成および送信後、プロセスはステップＳ４０８に進む。
【０１０７】
ステップＳ４０８では、変圧コントローラ２００は、測定処理の開始時に算出した電力値が第３の電力閾値未満であるか否かを判別する。当該電力値が第３の電力閾値未満であるとき、プロセスはステップＳ４０９に進む。当該電力値が第３の電力閾値未満でないとき、プロセスはステップＳ４１３に進む。
【０１０８】
ステップＳ４０９では、変圧コントローラ２００は、電圧センサ３１および第１の電流センサ３３それぞれから電圧値および電流値を取得する。電圧値および電流値を取得すると、プロセスはステップＳ４１０に進む。
【０１０９】
ステップＳ４１０では、変圧コントローラ２００は、ステップＳ４０９において取得した電圧値が電圧閾値未満、かつステップＳ４０９において取得した電流値が電流閾値を超えるか否かを判別する。当該電圧値が電圧閾値未満、かつ当該電流値がゼロであるとき、プロセスはステップＳ４１１に進む。当該電圧値が電圧閾値以上、および当該電流値がゼロでないことの少なくともいずれかを満たすとき、プロセスはステップＳ４１３に進む。
【０１１０】
ステップＳ４１１では、変圧コントローラ２００は、絶縁抵抗の測定停止を決定する。決定後、プロセスはステップＳ４１２に進む。
【０１１１】
ステップＳ４１２では、変圧コントローラ２００は、第３の報知信号を生成する。また、変圧コントローラ２００は、生成した第３の報知信号を電力管理装置などに送信する。生成および送信後、プロセスはステップＳ４１３に進む。
【０１１２】
ステップＳ４１３では、変圧コントローラ２００は、算出した電力値に基づいて、入力端子１７への直流電力の入力が停止しているか否かを判別する。直流電力の入力が停止しているとき、プロセスはステップＳ４１４に進む。直流電力の入力が停止していないとき、測定処理は終了する。
【０１１３】
ステップ４１４では、変圧コントローラ２００は、第２のスイッチ２８をオンに切替える。第２のスイッチ２８をオンに切替えると、プロセスはステップＳ４１５に進む。
【０１１４】
ステップＳ４１５では、変圧コントローラ２００は、ステップＳ４０６およびＳ４１１の少なくともいずれかにおいて絶縁抵抗の測定停止を決定しているか否かを判別する。測定停止が決定されているとき、測定処理は終了する。測定停止が決定されていないとき、プロセスはステップＳ４１６に進む。
【０１１５】
ステップＳ４１６では、変圧コントローラ２００は、電圧センサ３１および第１の電流センサ３３それぞれから電圧値および電流値を取得する。取得後、プロセスはステップＳ４１７に進む。
【０１１６】
ステップＳ４１７では、変圧コントローラ２００は、ステップＳ４１８において算出した絶縁抵抗値をメモリ３４０に記憶させる。記憶後、測定処理は終了する。
【０１１７】
次に、第２の実施形態において変圧コントローラ２００が実行する、異常判別処理について、図１０のフローチャートを用いて説明する。異常判別処理は、直流電力の供給の再開により、変圧コントローラ２００が起動するとき開始する。
【０１１８】
ステップＳ５００において、変圧コントローラ２００は、メモリ３４０から電圧値および電流値を読出す。読出し後、プロセスはステップＳ５０１に進む。
【０１１９】
ステップＳ５０１では、変圧コントローラ２００は、ステップＳ５００において読出した電圧値および電流値に基づいて、絶縁抵抗値を算出する。算出後、プロセスはステップＳ５０２に進む。
【０１２０】
ステップＳ５０２では、変圧コントローラ２００は、ステップＳ５０１において算出した絶縁抵抗値が抵抗閾値を超えるか否かを判別する。絶縁抵抗値が抵抗閾値を超えるとき、プロセスはステップＳ５０３に進む。絶縁抵抗値が抵抗閾値を超えないとき、異常判別処理は終了する。
【０１２１】
ステップＳ５０３では、変圧コントローラ２００は、第１の報知信号を生成する。また、変圧コントローラ２００は、生成した第１の報知信号を電力管理装置などに送信する。生成および送信後、異常判定処理は終了する。
【０１２２】
以上のような構成の第２の実施形態の絶縁抵抗検査装置２１０でも、入力端子１７への直流電力の入力が停止するとき、電圧センサ３１および第１の電流センサ３３がそれぞれ検出する電圧値および電流値を取得している。したがって、絶縁抵抗検査装置２１０も、負担のかかる工程を要すること無く、太陽電池ストリング１２の絶縁抵抗を測定させ得る。また、第２の実施形態の絶縁抵抗検査装置２１０でも、絶縁抵抗値が抵抗閾値を超えるとき第１の報知信号を生成させている。このような構成により、絶縁抵抗検査装置２１０も、単に、絶縁抵抗値を算出するだけでなく、異常状態であることを、太陽電池ストリング１２の保守管理者に容易に認識させ得る。また、第２の実施形態の絶縁抵抗検査装置２１０でも、電圧センサ３１および第１の電流センサ３３がそれぞれ検出する電圧値および電流値が特定の条件を満たすとき、第２の報知信号または第３の報知信号を生成している。したがって、絶縁抵抗検査装置２１０も、絶縁抵抗値の測定が困難であること、およびその原因を、太陽電池ストリング１２の保守管理者に容易に認識させ得る。また、第２の実施形態の絶縁抵抗検査装置２１０でも、入力する直流電力の電力値が第１の閾値未満となるとき、最大電力点追従制御の動作電圧を電圧最大となるように、直流電力変圧回路１９を制御している。このような構成により、絶縁抵抗検査装置２１０も、太陽電池ストリング１２の発電停止直前に第１のコンデンサ２２の電圧を上昇させることにより、絶縁抵抗値の測定精度を向上し得る。また、第２の実施形態の絶縁抵抗検査装置２１０でも、直流電力の入力が停止するとき、第２のスイッチ２８をオンにしている。このような構成により、絶縁抵抗検査装置２１０も、絶縁抵抗算出のための電圧値および電流値を取得するときに、第１のコンデンサ２２の電圧を上昇させるので、絶縁抵抗値の測定精度を向上し得る。
【０１２３】
また、第２の実施形態の絶縁抵抗検査装置２１０では、直流電力の入力が停止するときに取得する電圧値および電流値をメモリ３４０に記憶させている。このような構成により、絶縁抵抗検査装置２１０は、消費電力が比較的大きな絶縁抵抗値の演算を直流電力の供給の再開後に行うようにでき、省電力化によって第１のコンデンサ２２の電圧低下への影響を最小限に抑えた電圧値および電流値をメモリ３４０に記憶し、再起動後に絶縁抵抗値を算出し得る。よって、絶縁抵抗検査装置２１０は、より正確な絶縁抵抗値を算出し得る。
【０１２４】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【０１２５】
例えば、第１の実施形態および第２の実施形態において、入力端子１７に入力する直流電力の電力値がゼロになるときに、入力が停止したと判断されるが、他の条件で、入力が停止したと判断してもよい。例えば、入力する直流電力の電力値が第４の電力閾値まで低下してから、例えば３０分などの所定時間の経過時に入力が停止したと判断してもよい。また、例えば、日没後と想定される所定の時刻になるときによって、入力が停止したと判断してもよい。また、例えば、電力変換装置１０を含む、需要家施設の電力機器を管理する電力管理装置から取得する情報に基づいて、入力が停止したと判断してもよい。
【０１２６】
また、第１の実施形態における絶縁抵抗測定コントローラ３２、および第２の実施形態における変圧コントローラ２００は、入力端子１７に入力される直流電力および第１のコンデンサ２２に充電された電力のいずれかによって駆動するが、電源はこれらに限定されない。例えば、電力変換装置１０が、太陽電池ストリング１２、および、例えば蓄電装置などの他の種類の分散電源装置の直流電力を変換する機能を有する構成において、他の分散電源装置から供給される電力を電源として用いて、第１の実施形態における絶縁抵抗測定コントローラ３２、および第２の実施形態における変圧コントローラ２００が駆動されてもよい。この場合、絶縁抵抗測定コントローラ３２、および変圧コントローラ２０または変圧コントローラ２００へは低圧（例えば２４Ｖ）で電源が供給され、第１のコンデンサ２２は各コントローラの消費電力による影響を受けずに高い電圧を維持し得るので、より正確な絶縁抵抗値を算出し得る。
【符号の説明】
【０１２７】
１０  電力変換装置
１１  第１のスイッチ
１２  太陽電池ストリング
１３  商用系統
１４  負荷機器
１５、１５０  直流電力変圧部
１６  直交変換部
１７  入力端子
１８  出力端子
１９  直流電力変圧回路
２０、２００  変圧コントローラ
２１、２１０  絶縁抵抗検査装置
２２  第1のコンデンサ
２３  コイル
２４  スイッチング素子
２５  ダイオード
２６  第２のコンデンサ
２７  第２の電流センサ
２８  第２のスイッチ
２９  電力線
３０  接地線
３１  電圧センサ
３２  絶縁抵抗測定コントローラ
３３  第１の電流センサ
３４、３４０  メモリ
【図１】
2018087724.tif 000003
【図２】
2018087724.tif 000004
【図３】
2018087724.tif 000005
【図４】
2018087724.tif 000006
【図５】
2018087724.tif 000007
【図６】
2018087724.tif 000008
【図７】
2018087724.tif 000009
【図８】
2018087724.tif 000010
【図９】
2018087724.tif 000011
【図１０】
2018087724.tif 000012